(57)【要約】【課題】携帯機器を利用して動画を撮影する際に、被写体が発する音も撮影者が発するコメント等の音声も鮮明に録音できるようにする。【解決手段】本体マイク76は、被写体が発する音を集音し、外部マイク101は撮影者が発する音声を集音する。入力レベル検出部82は、本体マイク76からの入力レベルを検出し、制御部81は、入力レベル検出部82が検出した入力レベルと予め定められているレベル閾値とを比較する。そして、本体マイク76からの入力レベルが入力レベル閾値以上である場合は、本体マイク76から入力された音声と外部マイク101から入力された音声とを合成して記憶部93に記録し、本体マイク76の入力レベルが入力レベル閾値未満の場合は、本体マイク76から入力された音声を記憶部93に記録する。【選択図】図７
2011199855.tif 000002
【特許請求の範囲】
【請求項１】
被写体の動画の撮影を行う撮影部と、
前記撮影部の撮影した動画を録画する録画部と、
前記被写体の周囲の音を集音して電気信号に変換する被写体集音部と、
前記被写体を撮影する撮影者の周囲の音を集音して電気信号に変換する撮影者集音部と、
前記被写体集音部からの入力レベルを検出する入力レベル検出部と、
前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音録音部とを備えることを特徴とする携帯機器。
【請求項２】
請求項１記載の携帯機器において、
前記録音部は、
前記入力レベル検出部で検出した入力レベルの値が前記入力レベル閾値以上の場合は、前記被写体集音部で集音された音と前記撮影者集音部で集音された音とを同時に録音し、
前記入力レベル検出部で検出された入力レベルの値が前記入力レベル閾値未満の場合は、前記被写体集音部で集音した音を録音することを特徴とする携帯機器。
【請求項３】
請求項１または２記載の携帯機器において、
前記被写体までの距離を測定する距離測定部を備え、かつ、
前記録音部は、
前記距離測定部で測定した距離が予め定められている距離閾値以下で、かつ前記入力レベル検出部で検出した入力レベルの値が前記入力レベル閾値以上の場合は、前記被写体集音部で集音された音と前記撮影者集音部で集音された音とを同時に録音し、
前記距離測定部で測定した距離が前記距離閾値よりも大きい場合、及び前記距離測定部で測定した距離が前記距離閾値以下で、かつ前記入力レベル検出部で検出した入力レベルの値が前記入力レベル閾値よりも小さい場合は、前記被写体集音部で集音された音を録音することを特徴とする携帯機器。
【請求項４】
請求項１，２または３記載の携帯機器において、
前記撮影者集音部から出力される電気信号を増幅する可変ゲインアンプと、
該可変ゲインアンプから出力される電気信号と前記被写体集音部から出力される電気信号とを合成した電気信号に応じた音を出力する外部スピーカと、
ユーザが行う操作に従って、前記可変ゲインアンプのゲインを変更するゲイン変更部とを備えたことを特徴とする携帯機器。
【請求項５】
請求項１乃至４の何れか１項に記載の携帯機器において、
前記録音部の録音する音と、前記録画部の録画する動画とを同期させる同期制御部をさらに備えることを特徴とする携帯機器。
【請求項６】
請求項１乃至５の何れか１項に記載の携帯機器において、
前記撮影者集音部は、前記携帯機器のハンズフリー通話用ヘッドセットに付属するマイクであり、
前記外部スピーカは、前記ハンドフリー通話用ベットセットに付属するスピーカであることを特徴とする携帯機器。
【請求項７】
被写体の動画の撮影を行う撮影部と、前記撮影部の撮影した動画を録画する録画部と、前記被写体の周囲の音を集音して電気信号に変換する被写体集音部と、前記被写体を撮影する撮影者の周囲の音を集音して電気信号に変換する撮影者集音部と、入力レベル検出部と、録音部とを備えたコンピュータが実行する録音方法であって、
前記入力レベル検出部が、前記被写体集音部からの入力レベルを検出し、
前記録音部が、前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音することを特徴とする録音方法。
【請求項８】
被写体の動画の撮影を行う撮影部と、前記撮影部の撮影した動画を録画する録画部と、前記被写体の周囲の音を集音して電気信号に変換する被写体集音部と、前記被写体を撮影する撮影者の周囲の音を集音して電気信号に変換する撮影者集音部とを備えたコンピュータを、
前記被写体集音部からの入力レベルを検出する入力レベル検出部、
前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音する録音部として機能させるための録音プログラム。
【発明の詳細な説明】
【技術分野】
【０００１】
本発明は、動画撮影時に被写体が発する音と撮影者が発する音声との両方を鮮明に録音することができる携帯機器に関する。
【背景技術】
【０００２】
カメラ及びマイクを搭載し、動画（ムービー）撮影および音声録音を行うことができる携帯機器としては、種々のものが知られている（例えば、特許文献１，２参照）。
【０００３】
特許文献１に記載されている携帯電話機は、筐体のリア面側に第１のマイクとカメラとを実装し、フロント面側に第２のマイクと表示部とを実装している。そして、上記カメラを利用した動画の撮影時には、上記第１及び第２のマイクから取り込んだ音声レベルを比較し、音声レベルが高い方のマイクから取り込んだ音声を録音するようにしている。
【０００４】
また、特許文献２に記載されている携帯電話機は、筐体のリア面側に第１のマイクと第１のカメラとを実装し、フロント面側に第２のマイクと第２のカメラとを実装している。そして、動画の撮影は、上記第１及び第２のカメラの内の、ユーザによって指定された１つのカメラを使用して行い、音声の録音は、入力レベルが閾値以上のマイクだけを利用して行う（入力レベルが閾値未満のマイクは、ミュート状態にする）。
【先行技術文献】
【特許文献】
【０００５】
【特許文献１】特開２００４−２０１０１５号公報
【特許文献２】特開２００４−３０４５６０号公報
【発明の概要】
【発明が解決しようとする課題】
【０００６】
一般的に、携帯機器で動画撮影を行っている場合、被写体と携帯機器との距離に比べて、撮影者と携帯機器との距離の方が短くなる。このため、被写体と撮影者が発する音量が同一なら、携帯機器の近くにいる撮影者の音の方が被写体の音よりもマイクで拾う音のレベルが高くなる。
【０００７】
従って、被写体と撮影者が発する音量がほぼ同一の場合、特許文献１に記載の技術ではフロント面側の第２のマイクだけが常に使用され、被写体が発する音を鮮明に録音することができなくなる。他方、特許文献２に記載されている技術では、フロント面側の第２のマイクだけでなく、リア面側の第１のマイクも使用されるようになるが、より距離が近い撮影者が発する音のレベルが高くなりすぎ、被写体が発する音を鮮明に録音することが困難になる。
【０００８】
そこで、本発明の目的は、上述した課題、即ち、マイクまでの距離が近い撮影者が発する音によって被写体が発する音を明瞭に録音することができない、という課題を解決した携帯機器を提供することにある。
【課題を解決するための手段】
【０００９】
本発明にかかる第１の携帯機器は、
被写体の動画の撮影を行う撮影部と、
前記撮影部の撮影した動画を録画する録画部と、
前記被写体の周囲の音を集音して電気信号に変換する被写体集音部と、
前記被写体を撮影する撮影者の周囲の音を集音して電気信号に変換する撮影者集音部と、
前記被写体集音部からの入力レベルを検出する入力レベル検出部と、
前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音録音部とを備える。
【００１０】
本発明にかかる録音方法は、
被写体の動画の撮影を行う撮影部と、前記撮影部の撮影した動画を録画する録画部と、前記被写体の周囲の音を集音して電気信号に変換する被写体集音部と、前記被写体を撮影する撮影者の周囲の音を集音して電気信号に変換する撮影者集音部と、入力レベル検出部と、録音部とを備えたコンピュータが実行する録音方法であって、
前記入力レベル検出部が、前記被写体集音部からの入力レベルを検出し、
前記録音部が、前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音する。
【００１１】
本発明にかかる録音プログラムは、
被写体の動画の撮影を行う撮影部と、前記撮影部の撮影した動画を録画する録画部と、前記被写体の周囲の音を集音して電気信号に変換する被写体集音部と、前記被写体を撮影する撮影者の周囲の音を集音して電気信号に変換する撮影者集音部とを備えたコンピュータを、
前記被写体集音部からの入力レベルを検出する入力レベル検出部、
前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音する録音部として機能させる。
【発明の効果】
【００１２】
本発明によれば、被写体が発する音を効率良く録音することができると共に、被写体の発する大きな音によって撮影者の音声を明確に録音することができない事態を防止することができる。
【図面の簡単な説明】
【００１３】
【図１】本発明の携帯機器の構成を示すブロック図である。
【図２】本発明の携帯機器の第１の実施形態の構成を示すブロック図である。
【図３】本発明の携帯機器の録音方法を示すフローチャートである。
【図４】本発明の携帯機器の録音方法の実施形態を示すフローチャートである。
【図５】本発明の携帯機器の録音プログラムを示すフローチャートである。
【図６】本発明の携帯機器の録音プログラムの実施形態を示すフローチャートである。
【図７】本発明の携帯機器の第２の実施形態の構成を示すブロック図である。
【図８】撮影者が携帯電話機を使用して被写体を撮影している様子を示した図である。
【図９】第２の実施形態の処理例を示すフローチャートである。
【図１０】本発明の携帯機器の第３の実施形態の構成を示すブロック図である。
【図１１】第３の実施形態の処理例を示すフローチャートである。
【発明を実施するための形態】
【００１４】
添付の図面を参照して本発明の実施形態を説明する。以下に説明する実施形態は本発明の実施の例であり、本発明は、以下の実施の例に制限されるものではない。なお、本明細書及び図面において符号が同じ構成要素は、相互に同一のものを示すものとする。
【００１５】
[本発明の携帯機器の構成]
まず、図１を参照して、本発明の携帯機器の構成を説明する。図１は、本発明の携帯機器の構成の概略図である。なお、携帯機器は、例えば携帯電話である。撮影部１５−１は、被写体の動画の撮影を行う。例えば、携帯電話に搭載されたムービー撮影可能なカメラである。録画部１７−１は、撮影部１５−１の撮影した動画を録画して記憶する。例えば、ＲＡＭ（Ｒａｎｄｏｍ  Ａｃｃｅｓｓ  Ｍｅｍｏｒｙ）、又はハードディスクである。被写体集音部１１−１は、被写体の周囲の音を集音して電気信号に変換する。例えば、マイクロフォンであり、携帯電話に内蔵されていても、外付けされていてもよい。撮影者集音部１２−１は、被写体を撮影する撮影者の周囲の音を集音して電気信号に変換する。例えば、マイクロフォンであり、携帯電話に内蔵されていても、外付けされていてもよい。距離測定部１３−１は、被写体までの合焦距離を測定する。例えば、光学式距離計、超音波式距離計、レーザー光線式距離計である。合焦距離とは、被写体に対し焦点が合う距離である。入力レベル検出部１４−１は、被写体集音部１１−１から入力される入力レベルを検出する。入力レベルとは、被写体の周囲の音の音圧レベルである。例えば、騒音計である。録音部１６−１は、距離測定部１３−１で測定した合焦距離及び入力レベル検出部１４−１で検出した入力レベルの値を参照して、撮影者集音部１２−１からの撮影者の周囲の音、又は被写体集音部１１−１からの被写体の周囲の音を録音する。例えば、ＲＡＭ（Ｒａｎｄｏｍ  Ａｃｃｅｓｓ  Ｍｅｍｏｒｙ）、ハードディスクである。録音部１６−１は、距離測位部１３−１で測定された合焦距離と予め定めた距離とを比較し、入力レベル検出部１４−１で検出された入力レベルの値と予め定めた値とを比較し、それぞれの比較した結果を参照する。機器制御部１０−１は、各部の間のやりとりを制御する。なお、ここでは、携帯機器として携帯電話を例としたが、ムービー撮影可能なデジタルカメラ、或いはビデオカメラであってもよい。
【００１６】
以上説明したように、測定した被写体までの合焦距離及び検出した被写体の周囲の音の入力レベルの値を参照し、被写体の周囲の音及び撮影者の周囲の音を、それぞれ個別の集音部から集音することで、被写体の周囲の音及び撮影者の周囲の音を、それぞれ明瞭に録音することができる。
【００１７】
ここで、録音部１６−１は、距離測定部１３−１が測定した合焦距離が予め定めた距離より短く、かつ被写体集音部１１−１が検出した入力レベルの値が予め定めた入力レベルの値より高い場合、撮影者集音部１２−１から集音して電気信号に変換した音及び被写体集音部１１−１から集音して電気信号に変換した音を同時に録音してもよい。この場合は被写体までの距離が近く、被写体の周囲の音が大きい場合に相当する。つまり、撮影者の周囲の音を、別の集音部から集音する。そして、距離測定部１３−１が測定した合焦距離が予め定めた距離より長い場合、又は距離測定部１３−１が測定した合焦距離が予め定めた距離より短く、かつ被写体集音部１１−１が検出した入力レベルの値が予め定めた入力レベルの値より低い場合、被写体集音部１１−１から集音して電気信号に変換した音を録音してもよい。この場合は被写体までの距離が遠い、又は被写体までの距離が近いが、被写体の周囲の音が小さい場合に相当する。つまり、被写体の周囲の音を集中的に集音する。
【００１８】
具体的には、合焦距離の比較は閾値を設定し、撮影部１５−１であるビデオカメラのピント調整によって焦点が合った被写体までの距離、すなわち、合焦距離が閾値１以下であるか否かの判断を行う。閾値１は接写に近い状態で、携帯機器を被写体に近づけて撮影しているか否かの判定をする基準として定める。もし閾値１より大きければ、被写体への距離が一定距離以上であると判断する。そして、入力レベルの比較は同様に閾値を設定し、被写体集音部１１−１である携帯機器の本体のマイクからの周囲の音の入力レベルが閾値２以上であるかどうかの判断を行う。閾値２は、接写に近い状態で、携帯機器を被写体に近づけて撮影している場合で、前述の閾値１で定めた距離より遠い場所の被写体の周囲の音を録音するのに阻害となる入力レベルか否かを判定する基準として定める。もし閾値２未満であれば、被写体の周囲の音が撮影者の周囲の音を阻害する入力レベルではないと判断する。
【００１９】
以上説明したように、被写体の周囲の音及び撮影者の周囲の音について、被写体の位置と、被写体の周囲の音とを考慮した録音を行うことができ、被写体の周囲の音又は撮影者の周囲の音をそれぞれ明瞭に録音することができる。
【００２０】
[本発明の携帯機器の第１の実施形態]
次に、図２を参照して、本発明の携帯機器の第１の実施形態の構成を説明する。図２は、本発明の携帯機器の実施形態の構成の概略図である。なお、図１で説明した要素については説明を省略する。ここで、録音部１６−２の録音する音と、録画部１７−２の録画する動画とを同期させる同期制御部１８−１をさらに備えてもよい。同期制御部１８−１は、録音した音と録画した動画との同期を制御する。なお、録音した音と録画した動画とを同期させるために必要な同期信号は、動画、音、又は両方に存在してもよい。録音した音と録画した動画とを同期させることで、被写体の周囲の音だけでなく、撮影者の周囲の音についても被写体の周囲の音と同様に動画と共に記録することができる。
【００２１】
また、撮影者集音部１２−２は、携帯機器のハンズフリー通話用ヘッドセットに付属するマイクであってもよい。撮影者集音部１２−２を携帯機器のハンズフリー通話用ヘッドセットに付属するマイクとすることで、新たに別の集音部を用意する必要は無く、手軽に動画の撮影ができる。
【００２２】
次に、図３を参照して、本発明の携帯機器の録音方法を説明する。図３は、本発明の携帯機器の録音方法のフローチャートである。まず、撮影準備手順Ｐ２０−１において、被写体までの合焦距離を測定し、かつ被写体の周囲の音の入力レベルの値を検出する。合焦距離とは、被写体に対し焦点が合う距離である。合焦距離を測定する手段は、例えば、光学式距離計、超音波式距離計、レーザー光線式距離計である。また、音の入力レベルの値とは、入力される音圧レベルの値である。音を集音する手段は、例えば、マイクロフォンであり、携帯機器に内蔵されていても、外付けされていてもよい。音圧レベルを測定する手段は、例えば、騒音計である。次に、判定手順Ｐ２１−１において、撮影準備手順Ｐ２０−１において測定された合焦距離と、予め定めた距離とを比較し、かつ撮影準備手順Ｐ２０−１において検出された入力レベルの値と、予め定めた入力レベルの値とを比較する。そして、録画録音手順Ｐ２２−１において、判定手順Ｐ２１−１における合焦距離の比較の結果と、判定手順Ｐ２１−１における入力レベルの値の比較の結果とを参照し、被写体の周囲の音、又は被写体を撮影する撮影者の周囲の音を集音して電気信号に変換して録音し、かつ撮影した動画を録画する。なお、これらの手順を繰り返し実行してもよい。
【００２３】
以上説明したように、測定した被写体までの合焦距離及び検出した被写体の周囲の音の入力レベルを参照し、被写体の周囲の音及び撮影者の周囲の音を、それぞれ個別の集音部から集音することで、被写体の周囲の音及び撮影者の周囲の音を、それぞれ明瞭に録音することができる。
【００２４】
ここで、録画録音手順Ｐ２２−１において、判定手順Ｐ２１−１で測定された合焦距離が予め定めた距離より短く、かつ検出された入力レベルの値が予め定めた入力レベルの値より高い場合、被写体の周囲の音及び被写体を撮影する撮影者の周囲の音を同時に録音してもよい。この場合は被写体までの距離が近く、被写体の周囲の音が大きい場合に相当する。つまり、被写体の周囲の音と撮影者の周囲の音とを、それぞれ個別の集音部から集音する。合焦距離によって集音部を分けることで、被写体の周囲の音と共に、撮影者の周囲の音も明瞭に集音できる。また、判定手順Ｐ２１−１で測定された合焦距離が予め定めた距離より長い場合、又は測定された合焦距離が予め定めた距離より短く、かつ検出した入力レベルの値が予め定めた入力レベルの値より低い場合、被写体の周囲の音を録音してもよい。この場合は被写体までの距離が遠い、又は被写体までの距離が近いが、被写体の周囲の音が小さい場合に相当する。つまり、撮影者の周囲の音を集音せず、被写体の周囲の音を集音する。集音困難な被写体の周囲の音を集中的に集音することができる。
【００２５】
以上説明したように、被写体の周囲の音及び撮影者の周囲の音について、被写体の位置と、被写体の周囲の音とを考慮した録音を行うことができ、被写体の周囲の音又は撮影者の周囲の音をそれぞれ明瞭に録音することができる。
【００２６】
次に、図４を参照して、本発明の携帯機器の録音方法の実施形態を説明する。図４は、本発明の携帯機器の録音方法の実施形態のフローチャートである。なお、図３で説明した手順については説明を省略する。ここで、録画録音手順Ｐ２２−２の後の同期記録手順Ｐ２３−１において、録音する音と録画する動画とを同期させてもよい。なお、録音した音と、録画した動画とを同期させる同期信号は、動画、音、又は両方に存在してもよい。録
音した音と録画した動画とを同期させることで、被写体の周囲の音だけでなく、撮影者の周囲の音についても被写体の周囲の音と同様に動画と共に記録することができる。
【００２７】
また、被写体を撮影する撮影者の周囲の音は、携帯電話のハンズフリー通話用ヘッドセットに付属するマイクから集音して電気信号に変換してもよい。携帯電話のハンズフリー通話用ヘッドセットに付属するマイクから集音することで、新たに別の集音する手段を用意する必要は無く、手軽に動画の撮影ができる。また、撮影準備手順Ｐ２０−１の前において、ヘッドセットマイクの接続の有無を確認する手順を有してもよい。
【００２８】
次に、図５を参照して、本発明の携帯機器の録音プログラムを説明する。図５は、本発明の携帯機器の録音プログラムのフローチャートである。まず、撮影準備ステップＳ２０−１において、被写体までの合焦距離を測定し、かつ被写体の周囲の音の入力レベルの値を検出する。合焦距離とは、被写体に対し焦点が合う距離である。合焦距離を測定する手段は、例えば、光学式距離計、超音波式距離計、レーザー光線式距離計である。また、音の入力レベルの値とは、入力される音圧レベルの値である。音を集音する手段は、例えば、マイクロフォンであり、携帯機器に内蔵されていても、外付けされていてもよい。音圧レベルを測定する手段は、例えば、騒音計である。次に、判定ステップＳ２１−１において、撮影準備ステップＳ２０−１において測定された合焦距離と、予め定めた距離とを比較し、かつ撮影準備ステップＳ２０−１において検出された入力レベルの値と、予め定めた入力レベルの値とを比較する。そして、録画録音ステップＳ２２−１において、判定ステップＳ２１−１における合焦距離の比較の結果と、判定ステップＳ２１−１における入力レベルの値の比較の結果とを参照し、被写体の周囲の音、又は被写体を撮影する撮影者の周囲の音を集音して電気信号に変換して録音し、かつ撮影した動画を録画する。なお、これらのステップを繰り返し実行してもよい。
【００２９】
以上説明したように、測定した被写体までの合焦距離及び検出した被写体の周囲の音の入力レベルを参照し、被写体の周囲の音及び撮影者の周囲の音を、それぞれ個別の集音部から集音することで、被写体の周囲の音及び撮影者の周囲の音を、それぞれ明瞭に録音することができる。
【００３０】
ここで、録画録音ステップＳ２２−１において、判定ステップＳ２１−１で測定された合焦距離が予め定めた距離より短く、かつ検出された入力レベルの値が予め定めた入力レベルの値より高い場合、被写体の周囲の音及び被写体を撮影する撮影者の周囲の音を同時に録音してもよい。この場合は被写体までの距離が近く、被写体の周囲の音が大きい場合に相当する。つまり、被写体の周囲の音と撮影者の周囲の音とを、それぞれ個別の集音部から集音する。合焦距離によって集音部を分けることで、被写体の周囲の音と共に、撮影者の周囲の音も明瞭に集音できる。また、判定ステップＳ２１−１で測定された合焦距離が予め定めた距離より長い場合、又は測定された合焦距離が予め定めた距離より短く、かつ検出した入力レベルの値が予め定めた入力レベルの値より低い場合、被写体の周囲の音を録音してもよい。この場合は被写体までの距離が遠い、又は被写体までの距離が近いが、被写体の周囲の音が小さい場合に相当する。つまり、撮影者の周囲の音を集音せず、被写体の周囲の音を集音する。集音困難な被写体の周囲の音を集中的に集音することができる。
【００３１】
以上説明したように、被写体の周囲の音及び撮影者の周囲の音について、被写体の位置と、被写体の周囲の音とを考慮した録音を行うことができ、被写体の周囲の音又は撮影者の周囲の音をそれぞれ明瞭に録音することができる。
【００３２】
次に、図６を参照して、本発明の携帯機器の録音プログラムの実施形態を説明する。図６は、本発明の携帯機器の録音プログラムの実施形態のフローチャートである。なお、図５で説明したステップについては説明を省略する。ここで、録画録音ステップＳ２２−２の後の同期記録ステップＳ２３−１において、録音する音と録画する動画とを同期させてもよい。なお、録音した音と、録画した動画とを同期させる同期信号は、動画、音、又は両方に存在してもよい。録音した音と録画した動画とを同期させることで、被写体の周囲の音だけでなく、撮影者の周囲の音についても被写体の周囲の音と同様に動画と共に記録することができる。
【００３３】
また、被写体を撮影する撮影者の周囲の音は、携帯電話のハンズフリー通話用ヘッドセットに付属するマイクから集音して電気信号に変換してもよい。携帯電話のハンズフリー通話用ヘッドセットに付属するマイクから集音することで、新たに別の集音する手段を用意する必要は無く、手軽に動画の撮影ができる。また、撮影準備ステップＳ２０−２の前において、ヘッドセットマイクの接続の有無を確認するステップを有してもよい。
【００３４】
[本発明の携帯機器の第２の実施形態]
次に、図７を参照して本発明にかかる携帯機器の第２の実施形態について説明する。
【００３５】
図７を参照すると、本実施形態にかかる携帯電話機７１には、入出力部７９を介してハンズフリー通話用のヘッドセット１００が接続されている。ヘッドセット１００は、撮影者集音部に相当する外部マイク１０１と、外部スピーカ１０２とから構成されている。尚、本実施の形態では、ヘッドセット１００と携帯電話機７１とを有線で接続したが、Bluetoothなどより、ワイアレス接続するようにしても良い。
【００３６】
携帯電話機７１は、アンテナ７２と、ＲＦ(Radio Frequency)処理部７３と、ベースバンド処理部７４と、スピーカ７５と、被写体集音部に相当する本体マイク７６と、本体マイクから出力される電気信号を増幅するマイクアンプ７７と、外部マイク１０１からの電気信号を増幅する、ゲインが変更可能なマイクアンプ７８と、ＣＰＵ等によって実現される制御装置８０と、撮像部に相当するカメラ９０と、ＬＣＤ等の表示部９１と、キーやボタン等からなる入力部９２と、メモリやディスク装置等から構成される記憶部９３とを備えている。本体マイク７６とカメラ９０とは、筐体のリア面に実装される。尚、外部マイク１０１の代わりに、筐体のフロント面側に設けられたマイク（図示せず）を使用することもできる。
【００３７】
ＲＦ処理部７３は受信信号を復調して受信ベースバンド信号に変換したり、送信用ベースバンド信号を変調して送信信号に変換する機能などを有する。
【００３８】
ベースバンド処理部７４は、ＲＦ処理部７３で復調された受信ベースバンド信号から受信データを取り出して音声信号を生成し、生成した音声信号を図示を省略したアンプを介してスピーカ７５から出力する。また、ベースバンド処理部７４は、マイク７６や外部マイク１０１から入力された音声信号から送信用ベースバンド信号を生成してＲＦ処理部７３に渡す。
【００３９】
制御装置８０は、制御部８１と、入力レベル検出部８２と、録画部８３と、録音部８４と、同期制御部８５とを備えている。
【００４０】
入力レベル検出部８２は、本体マイク７６から入力される音声信号のレベルを検出する機能を有する。録画部８３は、カメラ９０が撮影した動画を記憶部９３に記録する機能を有する。録音部８４は、制御部８１からの指示に従って、本体マイク７６から入力された音声、又は、本体マイク７６から入力された音声と外部マイク１０１から入力された音声とを合成した音声を記憶部９３に記録する機能を有する。更に、録音部８４は、上記合成した音声をベースバンド処理部９４、入出力部７９を介して外部スピーカ１０２から出力する機能を有する。同期制御部８５は、録画部８３の録画する動画と、録音部８４の録音する音とを同期させる。
【００４１】
制御部８１は、入力レベル検出部８２で検出された、本体マイク７６から入力される音声信号のレベルと、前述した閾値２とを比較し、音声信号のレベルが閾値２以上である場合は、録音部８４に対して、本体マイク７６から入力される音声信号と外部マイク１０１から入力される音声信号とを合成して録音することを指示し、音声信号のレベルが閾値２未満である場合は、本体マイク７６から入力される音声信号を録音することを指示する機能を有する。尚、録音部８４は、両マイク７６，１０１からの音声信号を合成して録音することが指示された場合は、合成した音声信号を、ベースバンド処理部７４および入出力部７９を介して外部スピーカ１０２に出力する。更に、制御部８１は、入力部９２から入力されるユーザ（撮影者）の指示に従って、外部マイク１０１用のマイクアンプ７８のゲインを変更する機能を有する。
【００４２】
尚、制御装置８０は、ＣＰＵ（中央処理装置）によって実現可能であり、この場合には、例えば、次のようにする。ＣＰＵを、制御部８１、入出力レベル検出部８２、録画部８３、録音部８４、及び、同期制御部８５として機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に制御部８１、入出力レベル検出部８２、録画部８３、録音部８４、及び、同期制御部８５を実現する。
【００４３】
次に、本実施形態の動作について説明する。図８に示すように、撮影者３０は被写体４０を撮影する場合、ヘッドセット１００が接続された携帯電話機７１のカメラ９０を被写体４０に向け、撮影ボタン（図示せず）を押下する。
【００４４】
携帯電話機７１の制御装置８０内の制御部８１は、撮影ボタンが押下されると、本体マイク７６用のマイクアンプ７７に動作電源を供給するなどすることにより、本体マイク７６を有効にする（図９のステップＳ９０）。その後、制御部８１は、ヘッドセット１００が接続されているか否かを判定する（ステップＳ９１）。
【００４５】
そして、ヘッドセット１００が接続されていない場合（ステップＳ９１がＮＯ）は、制御部８１は、録画部８３、録音部８４、及び、同期制御部８５を起動し、録音部８４に対しては、本体マイク７６からの音声信号を録音することを指示する（ステップＳ１００）。これにより、録画部８３は、カメラ９０が撮影した動画を記憶部９３に記録し、録音部８４は本体マイク７６から入力された音声を記録部９３に記録し、同期制御部８５は、同期信号を重畳するなどして、音声と動画とを同期させる。その後、撮影者が撮影を終了すると（ステップＳ１０１がＹＥＳ）、制御部８１は、マイクアンプ７７への動作電源の供給を停止すると共に、録画部８３、録音部８４、及び、同期制御部８５を停止させ（ステップＳ１０２）、その後、その処理を終了する。
【００４６】
これに対して、ヘッドセット１００が接続されている場合（ステップＳ９１がＹＥＳ）は、制御部８１は、入力レベル検出部８２によって検出された、本体マイク７６の入力レベルと前述した閾値２とを比較する（ステップＳ９２）。
【００４７】
そして、本体マイク７６に入力レベルが閾値２未満の場合（ステップＳ９２がＮＯ）は、前述したステップＳ１００〜１０２と同様の処理を行う。
【００４８】
これに対して、本体マイクの入力レベルが閾値２以上の場合（ステップＳ９２がＹＥＳ）は、外部マイク１０１用のマイクアンプ７８に対して動作電源を供給することにより、外部マイク１０１も有効にする（ステップＳ９３）。その後、制御部８１は、録画部８３、録音部８４、及び、同期制御部８５を起動し、録音部８４に対して、本体マイク７６からの音声信号と外部マイク１０１からの音声信号とを合成し、合成した音声信号を記憶部９３に記録すると共に、外部スピーカ１０２に出力することを指示する（ステップＳ９４）。
【００４９】
これにより、録画部８３はカメラ９０が撮影した動画を記憶部９３に記録し、録音部８４は、本体マイク７６から入力された音声と外部マイク１０１から入力された音声とを合成したものを、記憶部９３に録音すると共に、外部スピーカ１０２に対して出力する。撮影者３０は、外部スピーカ１０２から出力される音声（本体マイク７６で集音した被写体４０の周囲音と、外部マイク１０１で集音した撮影者３０の声とを合成したもの）に基づいて、被写体４０の周囲音と、撮影者３０自身の声のバランスが適切であるか否かを確認することができる。
【００５０】
ステップＳ９４の処理が終了すると、制御部８１は、「入力部に設けられているボタンＢ１，Ｂ２を操作することにより、ヘッドセットのマイクゲインを変更できます」等のメッセージを表示部９１に表示し、撮影者３０に外部マイク１０１のマイクゲインが変更可能なことを知らせる（ステップＳ９５）。尚、表示部９１がタッチパネルを備えている場合は、表示部９１にマイクゲイン変更用のボタンＢ１，Ｂ２を表示するようにしても良い。尚、ボタンＢ１，Ｂ２は、それぞれマイクゲインを増加、減少させる際に操作するボタンである。
【００５１】
撮影者３０は、ヘッドセット１００の外部スピーカ１０２から出力される音声に基づいて、被写体４０の周囲音と撮影者３０の声とのバランスが適切でないと判断した場合は、ボタンＢ１或いはボタンＢ２を操作することにより、ゲイン変更を指示する。
【００５２】
制御部８１は、撮影者３０が行うボタン操作に基づいて、ゲイン変更が指示されたと判断すると（ステップＳ９６がＹＥＳ）、外部マイク１０１用のマイクアンプ７８に対して制御信号を出力し、そのゲインを増加或いは減少させる（ステップＳ９７）。
【００５３】
その後、撮影者３０が撮影ボタンから手を離すなどして、撮影終了を指示すると（ステップＳ９８がＹＥＳ）、制御部８１は、マイクアンプ７７，７８に対する動作電源の供給を停止すると共に、録画部８３、録音部８４、及び、同期制御部８５を停止させる（ステップＳ９９）。
【００５４】
[第２の実施形態の効果]
本実施の形態にあっては、カメラ９０が設けられている面と同一面側に設けられている本体マイク７６は、常に使用するので、被写体が発する音を効率良く録音することが可能になる。また、被写体が発する音のレベルが閾値２を超えるような大きなレベルになった場合には、本体マイク７６に比べて撮影者に近い外部マイク１０１も使用するため、被写体の発する音によって撮影者の音声を明確に録音することができない事態を防止することができる。
【００５５】
また、本実施形態は、本体マイク７６用のマイクアンプ７７から出力される音声信号と外部マイク１０１用のマイクアンプ７８から出力される音声信号とを合成した音声信号に対応する音を出力する外部スピーカ１０２と、ユーザが行う操作に従って外部マイク１０１用のマイクアンプ７８のゲインを変更する制御部（ゲイン変更部）８１を備えており、撮影者３０が外部スピーカ１０２から出力される音声を聞きながら、マイクアンプ７８のゲインを調整できるので、被写体４０が発する音と、撮影者３０が発する音声とを、撮影者３０が望む割合で録音することが可能になる。
【００５６】
[本発明の第３の実施形態]
次に、図１０を参照して、本発明にかかる携帯機器の第３の実施形態について説明する。本実施形態は、前述した第２の実施形態に係る携帯電話機よりも消費電力を軽減させたことを特徴とする。
【００５７】
図１０に示した本実施形態にかかる携帯電話機７１ａと、図７に示した携帯電話機７１との相違点は、距離測定部として動作する距離センサ１０３が追加された点、制御装置８０の代わりに制御装置８０ａを備えている点、及び、制御部８１の代わりに制御部８１ａを備えている点である。
【００５８】
距離センサ１０３は、携帯電話機１０４ａから被写体４０までの距離（合焦距離）を検出する機能を有する。
【００５９】
制御部８１ａは、距離センサ１０３で検出された距離が前述した閾値１以下で、かつ、入力レベル検出部８２で検出された本体マイク７６の入力レベルが前述した閾値２以上である場合、録音部８４に対して、本体マイク７６用のマイクアンプ７７からの音声信号と外部マイク１０１用のマイクアンプ７８からの音声信号とを合成し、合成した音声信号を記憶部９３に記録すると共に、合成した音声信号を外部スピーカ１０２から出力することを指示する機能を有する。更に、制御部８１ａは、距離センサ１０３で検出された距離が上記閾値１よりも大きい場合、及び、距離センサ１０３で検出された距離が上記閾値１以下で、かつ入力レベル検出部８２で検出された本体マイク７６の入力レベルが上記閾値２よりも小さい場合は、録音部８４に対して、本体マイク７６用のマイクアンプ７７からの音声信号を記憶部９３に記録することを指示する機能を有する。
【００６０】
尚、本実施形態の制御装置８０ａも、制御装置８０と同様に、ＣＰＵを用いて実現することができる。即ち、ＣＰＵを制御装置８０ａとして機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に、制御部８１ａ、入力レベル検出部８２、録画部８３、録音部８４、及び、同期制御部８５を実現する。
【００６１】
次に、図１１のフローチャートを参照して、本実施形態の動作について説明する。尚、ここでは、主に前述した実施形態の動作との相違部分について説明する。
【００６２】
制御部８１ａは、撮影者３０によって撮影開始が指示されると、先ず、本体マイク７６用のマイクアンプ７７に動作電源を供給し、本体マイク７６を有効にする（ステップＳ９０）。その後、制御部８１ａは、ヘッドセット１００が接続されているか否かを判定する（ステップＳ９１）。
【００６３】
そして、ハンドセット１００が接続されていない場合（ステップＳ９１がＮＯ）は、前述したステップＳ１００以降と同様の処理を行い、本体マイク７６から入力された音声信号だけを記憶部９３に記録する。
【００６４】
これに対して、ハンドセット１００が接続されている場合（ステップＳ９１がＹＥＳ）
は、距離センサ１０３で検出された被写体４０までの距離が前述した閾値１以下であるか否かを判定する（ステップＳ１１１）。
【００６５】
そして、距離センサ１０３で検出された距離が、閾値１よりも大きい場合（ステップＳ１１１がＮＯ）は、前述したステップＳ１００以降と同様の処理を行う。
【００６６】
これに対して、距離センサ１０３で検出された距離が、閾値１以下である場合（ステップＳ１１１がＹＥＳ）は、入力レベル検出部８２で検出した入力レベルが前述した閾値２以上であるか否かを判定する（ステップＳ９２）。
【００６７】
そして、入力レベルが閾値２以上である場合（ステップＳ９２がＹＥＳ）は、マイクアンプ７８に動作電源を供給して、外部マイク１０１を使用可能にし（ステップＳ９３）、その後、前述したステップＳ９４以降と同様の処理を行う。
【００６８】
[第３の実施形態の効果]
本実施形態は、距離センサ１０３で検出した被写体４０との間の距離が閾値１よりも大きい場合は、本体マイク７６の入力レベルが閾値２以上であっても本体マイク７６だけを使用して録音するようにしているので、本体マイク７６の入力レベルが閾値２以上の場合に、外部マイク１０１も使用して録音を行う前述した第２の実施形態に比較して、携帯電話機の消費電力を少なくすることができる。つまり、被写体４０までの距離が長く、かつ、被写体４０が発している音が大きい場合には、外部マイク１０１を利用して撮影者３０の声を録音するようにしたとしても、被写体４０が発する音によって撮影者３０の声が妨げられ、撮影者の声を鮮明に録音することは難しい。そこで、本実施形態では、両マイク７６，１０１を使用しても、撮影者３０の声を鮮明に録音することが難しい場合は、本体マイク７６だけを使用して録音を行うようにして、携帯電話機の消費電力を低減させた。
【００６９】
上記の実施形態の一部又は全部は、以下の付記のようにも記載されうるが、以下には限られない。
【００７０】
（付記１）
被写体の動画の撮影を行う撮影部と、
前記撮影部の撮影した動画を録画する録画部と、
前記被写体の周囲の音を集音して電気信号に変換する被写体集音部と、
前記被写体を撮影する撮影者の周囲の音を集音して電気信号に変換する撮影者集音部と、
前記被写体集音部からの入力レベルを検出する入力レベル検出部と、
前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音録音部とを備えることを特徴とする携帯機器。
（付記２）
付記１記載の携帯機器において、
前記録音部は、
前記入力レベル検出部で検出した入力レベルの値が前記入力レベル閾値以上の場合は、前記被写体集音部で集音された音と前記撮影者集音部で集音された音とを同時に録音し、
前記入力レベル検出部で検出された入力レベルの値が前記入力レベル閾値未満の場合は、前記被写体集音部で集音した音を録音することを特徴とする携帯機器。
（付記３）
付記１または２記載の携帯機器において、
前記被写体までの距離を測定する距離測定部を備え、かつ、
前記録音部は、
前記距離測定部で測定した距離が予め定められている距離閾値以下で、かつ前記入力レベル検出部で検出した入力レベルの値が前記入力レベル閾値以上の場合は、前記被写体集音部で集音された音と前記撮影者集音部で集音された音とを同時に録音し、
前記距離測定部で測定した距離が前記距離閾値よりも大きい場合、及び前記距離測定部で測定した距離が前記距離閾値以下で、かつ前記入力レベル検出部で検出した入力レベルの値が前記入力レベル閾値よりも小さい場合は、前記被写体集音部で集音された音を録音することを特徴とする携帯機器。
（付記４）
付記１，２または３記載の携帯機器において、
前記撮影者集音部から出力される電気信号を増幅する可変ゲインアンプと、
該可変ゲインアンプから出力される電気信号と前記被写体集音部から出力される電気信号とを合成した電気信号に応じた音を出力する外部スピーカと、
ユーザが行う操作に従って、前記可変ゲインアンプのゲインを変更するゲイン変更部とを備えたことを特徴とする携帯機器。
（付記５）
付記１乃至４の何れか１つに記載の携帯機器において、
前記録音部の録音する音と、前記録画部の録画する動画とを同期させる同期制御部をさらに備えることを特徴とする携帯機器。
（付記６）
付記１乃至５の何れか１つに記載の携帯機器において、
前記撮影者集音部は、前記携帯機器のハンズフリー通話用ヘッドセットに付属するマイクであり、
前記外部スピーカは、前記ハンドフリー通話用ベットセットに付属するスピーカであることを特徴とする携帯機器。
（付記７）
被写体の動画の撮影を行う撮影部と、前記撮影部の撮影した動画を録画する録画部と、前記被写体の周囲の音を集音して電気信号に変換する被写体集音部と、前記被写体を撮影する撮影者の周囲の音を集音して電気信号に変換する撮影者集音部と、入力レベル検出部と、録音部とを備えたコンピュータが実行する録音方法であって、
前記入力レベル検出部が、前記被写体集音部からの入力レベルを検出し、
前記録音部が、前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音することを特徴とする録音方法。
（付記８）
付記７記載の録音方法において、
前記録音部は、
前記入力レベル検出部で検出した入力レベルの値が前記入力レベル閾値以上の場合は、前記被写体集音部で集音された音と前記撮影者集音部で集音された音とを同時に録音し、
前記入力レベル検出部で検出された入力レベルの値が前記入力レベル閾値未満の場合は、前記被写体集音部で集音した音を録音することを特徴とする録音方法。
（付記９）
付記１または２記載の録音方法において、
前記コンピュータは、前記被写体までの距離を測定する距離測定部を備え、かつ、
前記録音部は、
前記距離測定部で測定した距離が予め定められている距離閾値以下で、かつ前記入力レベル検出部で検出した入力レベルの値が前記入力レベル閾値以上の場合は、前記被写体集音部で集音された音と前記撮影者集音部で集音された音とを同時に録音し、
前記距離測定部で測定した距離が前記距離閾値よりも大きい場合、及び前記距離測定部で測定した距離が前記距離閾値以下で、かつ前記入力レベル検出部で検出した入力レベルの値が前記入力レベル閾値よりも小さい場合は、前記被写体集音部で集音された音を録音することを特徴とする録音方法。
（付記１０）
付記７，８または９記載の録音方法において、
前記コンピュータは、前記撮影者集音部から出力される電気信号を増幅する可変ゲインアンプと、該可変ゲインアンプから出力される電気信号と前記被写体集音部から出力される電気信号とを合成した電気信号に応じた音を出力する外部スピーカと、ゲイン変更部とを備え、
前記ゲイン変更部は、ユーザが行う操作に従って、前記可変ゲインアンプのゲインを変更することを特徴とする録音方法。
（付記１１）
付記７乃至１０の何れか１つに記載の録音方法において、
前記コンピュータは、同期制御部を備え、かつ、
前記同期制御部は、
前記録音部の録音する音と、前記録画部の録画する動画とを同期させることを特徴とする録音方法。
（付記１２）
付記７乃至１１の何れか１つに記載の録音方法において、
前記撮影者集音部は、前記携帯機器のハンズフリー通話用ヘッドセットに付属するマイクであり、
前記外部スピーカは、前記ハンドフリー通話用ベットセットに付属するスピーカであることを特徴とする録音方法。
（付記１３）
被写体の動画の撮影を行う撮影部と、前記撮影部の撮影した動画を録画する録画部と、前記被写体の周囲の音を集音して電気信号に変換する被写体集音部と、前記被写体を撮影する撮影者の周囲の音を集音して電気信号に変換する撮影者集音部とを備えたコンピュータを、
前記被写体集音部からの入力レベルを検出する入力レベル検出部、
前記入力レベル検出部で検出した入力レベルの値と予め定めた入力レベル閾値との比較結果に基づいて、前記被写体集音部で集音された音を録音するのか、前記被写体集音部で集音された音と前記撮影者集音部で集音された音とを録音するのかを選択し、選択した音を録音する録音部として機能させるための録音プログラム。
（付記１４）
付記１３記載の録音プログラムにおいて、
前記録音部は、
前記入力レベル検出部で検出した入力レベルの値が前記入力レベル閾値以上の場合は、前記被写体集音部で集音された音と前記撮影者集音部で集音された音とを同時に録音し、
前記入力レベル検出部で検出された入力レベルの値が前記入力レベル閾値未満の場合は、前記被写体集音部で集音した音を録音することを特徴とする録音プログラム。
（付記１５）
付記１３または１４記載の録音プログラムにおいて、
前記コンピュータは、前記被写体までの距離を測定する距離測定部を備え、かつ、
前記録音部は、
前記距離測定部で測定した距離が予め定められている距離閾値以下で、かつ前記入力レベル検出部で検出した入力レベルの値が前記入力レベル閾値以上の場合は、前記被写体集音部で集音された音と前記撮影者集音部で集音された音とを同時に録音し、
前記距離測定部で測定した距離が前記距離閾値よりも大きい場合、及び前記距離測定部で測定した距離が前記距離閾値以下で、かつ前記入力レベル検出部で検出した入力レベルの値が前記入力レベル閾値よりも小さい場合は、前記被写体集音部で集音された音を録音することを特徴とする録音プログラム。
（付記１６）
付記１３，１４または１５記載の録音プログラムにおいて、
前記コンピュータは、前記撮影者集音部から出力される電気信号を増幅する可変ゲインアンプと、該可変ゲインアンプから出力される電気信号と前記被写体集音部から出力される電気信号とを合成した電気信号に応じた音を出力する外部スピーカとを備え、かつ、
前記コンピュータを、
ユーザが行う操作に従って、前記可変ゲインアンプのゲインを変更するゲイン変更部として機能させるための録音プログラム。
（付記１７）
付記１３乃至１６の何れか１つに記載の録音プログラムにおいて、
前記コンピュータを、
前記録音部の録音する音と、前記録画部の録画する動画とを同期させる同期制御部として機能させるための録音プログラム。
（付記１８）
付記１３乃至１７の何れか１つに記載の録音プログラムにおいて、
前記撮影者集音部は、前記携帯機器のハンズフリー通話用ヘッドセットに付属するマイクであり、
前記外部スピーカは、前記ハンドフリー通話用ベットセットに付属するスピーカであることを特徴とする録音プログラム。
【符号の説明】
【００７１】
１０−１，１０−２：機器制御部
１１−１，１１−２：被写体集音部
１２−１，１２−２：撮影者集音部
１３−１，１３−２：距離測定部
１４−１，１４−２：入力レベル検出部
１５−１，１５−２：撮影部
１６−１，１６−２：録音部
１７−１，１７−２：録画部
１８−１：同期制御部
Ｐ２０−１，Ｐ２０−２：撮影準備手順
Ｐ２１−１，Ｐ２１−２：判定手順
Ｐ２２−１，Ｐ２２−２：録画録音手順
Ｐ２３−１：同期記録手順
Ｓ２０−１，Ｓ２０−２：撮影準備ステップ
Ｓ２１−１，Ｓ２１−２：判定ステップ
Ｓ２２−１，Ｓ２２−２：録画録音ステップ
Ｓ２３−１：同期記録ステップ
【図１】
2011199855.tif 000003
【図２】
2011199855.tif 000004
【図３】
2011199855.tif 000005
【図４】
2011199855.tif 000006
【図５】
2011199855.tif 000007
【図６】
2011199855.tif 000008
【図７】
2011199855.tif 000009
【図８】
2011199855.tif 000010
【図９】
2011199855.tif 000011
【図１０】
2011199855.tif 000012
【図１１】
2011199855.tif 000013